【事件の表示】
　特願２０１５−１６５６８２「複数のグループに割り当てられた画素を有するブロックをイントラ符号化する方法および装置」拒絶査定不服審判事件〔平成２８年１月１４日出願公開、特開２０１６−７０５５〕について、次のとおり審決する。
【結　論】
　本件審判の請求は、成り立たない。
【理　由】
第１　手続の経緯
　本願は、２０１１年（平成２３年）５月１３日（パリ条約による優先権主張外国庁受理２０１０年５月１４日、米国）を国際出願日として出願した特願２０１３−５１００８４号の一部を平成２７年８月２５日に新たな特許出願としたものであって、その手続の経緯は以下のとおりである。
　平成２７年　９月　７日　　：手続補正書の提出
　平成２８年　８月　５日付け：拒絶理由通知書
　平成２９年　２月２０日　　：意見書、手続補正書の提出
　　　　同年　８月３０日付け：拒絶理由通知書（最後）
　平成３０年　２月１６日　　：意見書、手続補正書の提出
　　　　同年　８月２２日付け：拒絶査定
　　　　同年１２月２７日　　：審判請求書の提出
　平成３１年　２月１５日　　：手続補正書（請求の理由）の提出
第２　本願発明
　平成３０年２月１６日に提出された手続補正書による手続補正で補正された特許請求の範囲の請求項１に記載された発明（以下、「本願発明」という。）は、以下のとおりである。
　なお、各構成の符号（Ａ）〜（Ｃ）は、説明のために当審で付したものであり、以下、構成Ａ〜構成Ｃと称する。
〔本願発明〕
【請求項１】
（Ａ）ブロック内の画素を少なくとも第１のグループおよび第２のグループに分割し、前記第２のグループの前記画素を復号する前に、第１の方法で、前記ブロックの外側の隣接する画素から前記第１のグループの前記画素を予測することによって、イントラ予測を用いてピクチャ内のブロックを復号するビデオ・デコーダを含む装置であって、
（Ｂ）前記第２のグループ内の前記画素のうちの少なくとも１つの画素についての予測は、画素の前記第１のグループ内の画素およびすでに復号されているブロックの外側の隣接する画素のうちの少なくとも１つに基づいて、前記第１の方法とは異なる、第２の方法で決定され、
（Ｃ）前記第１のグループと前記第２のグループは、マクロブロック内に含まれている同じブロックの部分である、
（Ａ）前記装置。
第３　原査定の拒絶の理由
　原査定の拒絶の理由は、本願発明は、その出願前に日本国内又は外国において、頒布された以下の引用文献１〜引用文献５に記載された発明並びに引用文献６及び引用文献７に記載された周知技術に基づいて、その出願前にその発明の属する技術の分野における通常の知識を有する者が容易に発明をすることができたものであるから、特許法第２９条第２項の規定により特許を受けることができない、というものである。
　引用文献１：国際公開第２００８／１２０５７７号
　引用文献２：特表２００９−５２８７６２号公報
　引用文献３：特開２００７−７４７２６号公報
　引用文献４：特開２００７−７４７２５号公報
　引用文献５：Taichiro Shiodera et al., BLOCK BASED EXTRA/
　　　　　　　INTER-POLATING PREDICTION FOR INTRA CODING,
　　　　　　　2007 IEEE International Conference on Image
　　　　　　　Processing, 2007年9月16日, vol.6, p.VI-445〜VI-448
　引用文献６：国際公開第２０１０／０５０１０６号
　引用文献７：特開２００７−２８２０１４号公報
第４　引用文献の記載及び引用発明
１　引用文献の記載事項
　上記引用文献１（以下、「引用文献」という。）には、次の事項が記載されている。
　なお、記載事項の下線は、当審で付したものである。
ア　「［０００１］　本発明は、動画像若しくは静止画像のための符号化／復号化方法及び装置に関する。」
イ　「［０００６］　H. 264のフレーム内予測では、上述したように原理的にマクロブロック内の符号化対象ブロックは左及び上の画素しか参照できない。従って、左及び上の画素との輝度の相関が低い画素（一般的には、参照画素からの距離が遠い右及び下の画素）では、予測性能が上がらず、予測誤差が増大するという問題があった。
［０００７］　本発明は、画素ブロック単位で予測及び変換符号化を行うイントラ符号化において、高い予測効率を実現して符号化効率を向上させることを目的とする。」
ウ　「［００１１］　以下、本発明の実施形態について図面を参照して説明する。
（第１の実施形態）
　
図１に示されるように、本発明の第1の実施形態に従う画像符号化装置は符号化ユニット１００、多重化部１１１、出力バッファ１１２、及び符号化ユニット１００を制御する符号化制御部１１３を有する。
［００１２］　
符号化ユニット１００に入力された画像信号１２０は、フレーム分割部１０１によって適当な大きさの画素ブロック、例えば１６×１６画素のマクロブロックに分割され、符号化対象マクロブロック信号１２１とされる。
［００１３］　
フレーム分割部１０１から出力される符号化対象マクロブロック１２１は、再ブロック化部１０２によって、画素振り分けにより後述するように基準画素ブロックと補間画素ブロックに再ブロック化される。これにより、再ブロック化部１０２で再ブロック化信号１２２が生成される。再ブロック化信号１２２は、減算器１０３に入力される。減算器１０３においては、再ブロック化信号１２２と後述する予測信号１２３との差がとられることにより、予測誤差信号１２４が生成される。
［００１４］　
予測誤差信号１２４は変換／量子化部１０４に入力され、変換係数データ１２５が生成される。
変換係数データ１２５は、エントロピー符号化部１１０及び逆変換／逆量子化部１０５に入力される。
［００１５］　
逆変換／逆量子化部１０５では、
復元された予測誤差信号１２６が生成される。
［００１６］　
逆変換／逆量子化部１０５によって生成された復元された予測誤差信号１２６は、加算器１０６において予測信号１２３と加算され、これにより局部復号信号１２７が生成される。局部復号信号１２７は、参照画像バッファ１０７へ入力される。参照画像バッファ１０７では、局部復号信号１２７が参照画像信号として参照画像バッファ１０７に一時保存される。
［００１７］　
予測信号生成部１０８は、基準画素予測部１０８Ａと補間画素予測部１０８Ｂを含み、参照画像バッファ１０７に一時保存された符号化済みの参照画像信号の画素（参照画素）を利用して、再ブロック化部１０２によって再ブロック化される基準画素ブロック及び補間画素ブロックに対する予測信号１２８Ａ及び１２８Ｂを生成する。
［００１８］　スイッチ１０９は符号化制御部１１３により制御される切り替えタイミングで切り替えられ、基準画素予測部１０８Ａ及び補間画素予測部１０８Ｂによって生成された予測信号１２８Ａ及び１２８Ｂのいずれかを選択する。すなわち、
スイッチ１０９ではまず符号化対象マクロブロック内の全ての基準画素ブロックに対応する予測信号１２８Ａが予測信号１２３として選択される。スイッチ１０９では、次に符号化対象マクロブロック内の全ての補間画素ブロックに対応する予測信号１２８Ｂが予測信号１２３として選択される。こうしてスイッチ１０９で選択された予測信号１２３は、減算器１０３に入力される。
［００１９］　
一方、エントロピー符号化部１１０では、変換／量子化部１０４から入力される変換係数データ１２５
などの情報に対してエントロピー符号化が施され、符号化データ１３５が生成される。
エントロピー符号化部１１０から出力される符号化データ１３５は多重化部１１１により多重化される。多重化された符号化データは、出力バッファ１１２を通して符号化ビットストリーム１３６として出力される。
［００２０］　符号化制御部１１３は、符号化ユニット１００に対する発生符号量（符号化データ１３５の符号量）のフィードバック制御、量子化特性制御及びモード制御などの、符号化処理全体の制御を行う。」
［００２１］　次に、図２及び図３〜図５を用いて
図１の画像符号化装置の動作を詳細に説明する。
（略）
［００３１］　次に、
再ブロック化部１０２により生成された基準画素ブロックに対して、予測信号生成部１０８の基準画素予測部１０８Ａによって基準画素ブロックの予測信号１２８Ａが生成され
（略）
［００３９］　次に、
再ブロック化部１０２において生成された再ブロック化信号１２２として生成された補間画素ブロックに対して、予測信号生成部１０８内の補間画素予測部１０８Ｂによって予測信号１２８Ｂが生成され
（略）
［００４３］　このように本実施形態によると、画素振り分けにより再ブロック化された基準画素ブロック及び補間画素ブロックのうち、基準画素ブロックに対してはH. 264と同様の外挿予測によって予測信号１２８Ａが生成され、
基準画素ブロックの信号に対して予測信号１２８Ａが有する予測誤差信号が符号化される。
［００４４］　一方、補間画素ブロックに対しては補間画素ブロックに対応する局部復号信号と符号化済み画素に対応する局部復号信号を用いた内挿予測によって予測信号１２８Ｂが生成され、
補間画素ブロックの信号に対して予測信号１２８Ａが持つ予測誤差信号が符号化される
エ　「［００８３］　次に、図１５の
マクロブロックプレディクションシンタクスでは、マクロブロック（１６×１６画素ブロック）またはサブブロック（４×４画素ブロック、８×８画素ブロック）毎の予測モード及び符号化ブロックに関する情報が明記されている。それぞれのmb_typeにおける処理ブロック単位の予測モードを示すインデクスは、intra4×4(8×8,16×16)_pred_modeで示される。
オ　「［００８８］　（第３の実施形態）
　図１６に示される
本発明の第３の実施形態に従う画像復号化装置は、図１に示した第１の実施形態に従う画像符号化装置に対応しており、復号化ユニット３００、入力部３０１、逆多重化部３０２、出力バッファ３１１、及び復号化ユニット３００を制御する復号化制御部３１３を有する。
［００８９］　
画像復号化装置に入力される符号化ビットストリーム３２０は、入力バッファ３０１に一度蓄えられ、逆多重化部３０２によりにシンタクスに基づいて各符号化データが分離された後、復号化ユニット３００に入力される。
［００９０］　
復号化ユニット３００に入力された符号化データは、エントロピー復号化部３０３に入力される。エントロピー復号化部３０３では、
符号化データの各シンタクスの符号列が順次復号され、量子化された変換係数３２６
などが復号される。
［００９１］　
量子化された変換係数３２６は、符号化ブロック情報３２３及び量子化パラメータなどに従って逆変換／逆量子化部３０４で逆量子化され、例えばＩＤＣＴ（逆離散コサイン変換）などにより逆直交変換される。
［００９２］　
逆変換／逆量子化部３０４から出力される変換係数データは、予測誤差信号３２７として加算器３０５へ渡される。加算器３０５では、予測誤差信号３２７と予測信号生成部３０８からスイッチ３０９を介して出力される予測信号３２９の加算が行われることにより、復号画像信号３３０が生成され、参照画像バッファ３０６へ入力される。
［００９３］　
予測信号生成部３０８は、基準画素予測部３０８Ａと補間画素予測部３０８Ｂを含み、
参照画像バッファ３０６に一時保存された復号化済みの参照画素を利用して基準画素ブロック及び補間画素ブロックに対する予測信号３２８Ａ及び３２８Ｂを生成する。
［００９４］　スイッチ３０９は復号化制御部３１３により制御される切り替えタイミングで切り替えられ、基準画素予測部３０８Ａ及び補間画素予測部３０８Ｂによって生成された予測信号３２８Ａ及び３２８Ｂのいずれかを選択する。すなわち、
スイッチ３０９ではまず復号化対象マクロブロック内の全ての基準画素ブロックに対応する予測信号３２８Ａが予測信号３２９として選択され、次に復号化対象マクロブロック内の全ての補間画素ブロックに対応する予測信号３２８Ｂが予測信号３２３として選択される。
［００９５］　
復号画素合成部３０９では、復号画像信号３３０として得られる基準画素ブロック及び補間画素ブロックの画素が合成されることにより、復号化対象マクロブロックの復号画像信号が生成される。
［００９６］　復号化制御部３１３は、入力バッファ３０１及び出力バッファ３１１の制御や復号化タイミングの制御など、復号化全体の制御を行う。
［００９７］　次に、図１７を用いて図１６の
画像復号化装置の動作を詳しく説明する。
（略）
［０１００］　エントロピー復号化部３０３で復号された変換係数データは、逆変換／逆量子化部３０４へ入力される。
逆変換／逆量子化部３０４では、
基準画素ブロック及び補間画素ブロックの予測誤差信号が復号される
（略)
［０１０５］　次に、
基準画素ブロック及び補間画素ブロック
における予測処理の流れについて説明する。
［０１０６］　
まず、基準画素ブロックに対して予測信号生成部３０８内の基準画素予測部３０８Ａによって、基準画素ブロックの予測信号が生成される（ステップＳ４０４）。基準画素ブロックは、参照画像バッファ３０６に一時保存された復号化済みのブロック周辺画素から、外挿予測によって予測される。このときの外挿予測は、H. 264のフレーム内予測のように、生成方法の異なる複数の予測モードから復号化制御部３１３にセットされている予測モード情報に従って一つのモードを選択し、当該予測モードに従って予測信号を生成することで行われる。
［０１０７］　
次に、基準画素予測部３０８Ａで生成された予測信号と、逆変換／逆量子化部３０４で生成された予測誤差信号が加算器３０５において加算されることにより、基準画素ブロックの復号画像が生成される（ステップＳ４０５）。生成された基準画素ブロックの復号画像信号は、参照画像バッファ３０６及び復号画素合成部３１０へ入力される。
［０１０８］　
次に、補間画素ブロックに対して予測信号生成部３０８内の補間画素予測部３０８Ｂによって、補間画素ブロックの予測信号が生成される（ステップＳ４０６）。ここでは、参照画像バッファ３０８に一時保存された復号化済みの参照画素（基準画素ブロックを含む）から６タップの線形補間フィルタを用いて補間画素ブロックが予測される。
［０１０９］　
次に、補間画素予測部３０８Ｂで生成された予測信号と、逆変換／逆量子化部３０４で生成された予測誤差信号が加算器３０５において加算され、補間画素ブロックの復号画像が生成される（ステップＳ４０６）。
［０１１０］　
次に、上記の処理で生成された基準画素ブロック及び補間画素ブロックの復号画像を用いて、復号画素合成部３１０によって復号化対象マクロブロックの復号画像信号が生成される（ステップＳ４０７）。
［０１１１］　このように第３の実施形態に従う画像復号化装置によれば、第１の実施形態で説明した予測効率の高い画像符号化装置からの符号化ストリームについて復号化を行うことができる。」
カ　「【図１】
　　　　　　　　　　　　　　　　　　　　　　　　　　　　　　　」
キ　「【図１６】
　　　　　　　　　　　　　　　　　　　　　　　　　　　　　　　」
２　引用文献に記載の技術的事項
　上記ア〜キに摘記した記載事項から、引用文献には、以下（１）〜（２）の技術的事項が記載されているものと認められる。
　なお、引用文献の段落００４４の「予測信号１２８Ａ」、段落００９４の「予測信号３２３」、段落００９５の「復号画素合成部３０９」及び段落０１０８の「参照画像バッファ３０８」は、それぞれ「予測信号１２８Ｂ」、「予測信号３２９」、「復号画素合成部３１０」及び「参照画像バッファ３０６」との明らかな誤記であり、当審において、当該「予測信号１２８Ａ」、「予測信号３２３」、「復号画素合成部３０９」及び「参照画像バッファ３０８」との記載は、正しくは、それぞれ「予測信号１２８Ｂ」、「予測信号３２９」、「復号画素合成部３１０」及び「参照画像バッファ３０６」の意味であると認定した。
（１）記載ウ、カには、以下の構成を備えた「第1の実施形態に従う画像符号化装置」が記載されている。
「符号化ユニット１００、多重化部１１１、出力バッファ１１２、及び符号化ユニット１００を制御する符号化制御部１１３を有し、（段落００１１）
　符号化ユニット１００に入力された画像信号１２０は、フレーム分割部１０１によって適当な大きさの画素ブロック、例えば１６×１６画素のマクロブロックに分割され、符号化対象マクロブロック信号１２１とされ、（段落００１２）
　フレーム分割部１０１から出力される符号化対象マクロブロック１２１は、再ブロック化部１０２によって、画素振り分けにより基準画素ブロックと補間画素ブロックに再ブロック化され、これにより、再ブロック化部１０２で再ブロック化信号１２２が生成され、再ブロック化信号１２２は、減算器１０３に入力され、減算器１０３においては、再ブロック化信号１２２と予測信号１２３との差がとられることにより、予測誤差信号１２４が生成され、（段落００１３）
　予測誤差信号１２４は変換／量子化部１０４に入力され、変換係数データ１２５が生成され、変換係数データ１２５は、エントロピー符号化部１１０及び逆変換／逆量子化部１０５に入力され、（段落００１４）
　逆変換／逆量子化部１０５では、復元された予測誤差信号１２６が生成され、（段落００１５）
　逆変換／逆量子化部１０５によって生成された復元された予測誤差信号１２６は、加算器１０６において予測信号１２３と加算され、これにより局部復号信号１２７が生成され、局部復号信号１２７は、参照画像バッファ１０７へ入力され、参照画像バッファ１０７では、局部復号信号１２７が参照画像信号として参照画像バッファ１０７に一時保存され、（段落００１６）
　予測信号生成部１０８は、基準画素予測部１０８Ａと補間画素予測部１０８Ｂを含み、参照画像バッファ１０７に一時保存された符号化済みの参照画像信号の画素（参照画素）を利用して、再ブロック化部１０２によって再ブロック化される基準画素ブロック及び補間画素ブロックに対する予測信号１２８Ａ及び１２８Ｂを生成し、（段落００１７）
　スイッチ１０９ではまず符号化対象マクロブロック内の全ての基準画素ブロックに対応する予測信号１２８Ａが予測信号１２３として選択され、次に符号化対象マクロブロック内の全ての補間画素ブロックに対応する予測信号１２８Ｂが予測信号１２３として選択され、こうしてスイッチ１０９で選択された予測信号１２３は、減算器１０３に入力され、（段落００１８）
　一方、エントロピー符号化部１１０では、変換／量子化部１０４から入力される変換係数データ１２５などの情報に対してエントロピー符号化が施され、符号化データ１３５が生成され、エントロピー符号化部１１０から出力される符号化データ１３５は多重化部１１１により多重化され、多重化された符号化データは、出力バッファ１１２を通して符号化ビットストリーム１３６として出力され、（段落００１９）
　前記再ブロック化部１０２により生成された基準画素ブロックに対して、予測信号生成部１０８の基準画素予測部１０８Ａによって基準画素ブロックの予測信号１２８Ａが生成され、（段落００３１）
　前記再ブロック化部１０２において生成された再ブロック化信号１２２として生成された補間画素ブロックに対して、予測信号生成部１０８内の補間画素予測部１０８Ｂによって予測信号１２８Ｂが生成され、（段落００３９）
　基準画素ブロックの信号に対して予測信号１２８Ａが有する予測誤差信号が符号化され、（段落００４３）
　補間画素ブロックの信号に対して予測信号１２８Ｂが持つ予測誤差信号が符号化される。（段落００４４）」
（２）記載オ、キには、以下の構成を備えた「第３の実施形態に従う画像復号化装置」が記載されている。
「第１の実施形態に従う画像符号化装置に対応しており、復号化ユニット３００、入力部３０１、逆多重化部３０２、出力バッファ３１１、及び復号化ユニット３００を制御する復号化制御部３１３を有し、（段落００８８）
　画像復号化装置に入力される符号化ビットストリーム３２０は、入力バッファ３０１に一度蓄えられ、逆多重化部３０２によりにシンタクスに基づいて各符号化データが分離された後、復号化ユニット３００に入力され、（段落００８９）
　復号化ユニット３００に入力された符号化データは、エントロピー復号化部３０３に入力され、エントロピー復号化部３０３では、符号化データの各シンタクスの符号列が順次復号され、量子化された変換係数３２６などが復号され、（段落００９０）
　量子化された変換係数３２６は、符号化ブロック情報３２３及び量子化パラメータなどに従って逆変換／逆量子化部３０４で逆量子化され、例えばＩＤＣＴなどにより逆直交変換され、（段落００９１）
　逆変換／逆量子化部３０４から出力される変換係数データは、予測誤差信号３２７として加算器３０５へ渡され、加算器３０５では、予測誤差信号３２７と予測信号生成部３０８からスイッチ３０９を介して出力される予測信号３２９の加算が行われることにより、復号画像信号３３０が生成され、参照画像バッファ３０６へ入力され、（段落００９２）
　予測信号生成部３０８は、基準画素予測部３０８Ａと補間画素予測部３０８Ｂを含み、参照画像バッファ３０６に一時保存された復号化済みの参照画素を利用して基準画素ブロック及び補間画素ブロックに対する予測信号３２８Ａ及び３２８Ｂを生成し、（段落００９３）
　スイッチ３０９ではまず復号化対象マクロブロック内の全ての基準画素ブロックに対応する予測信号３２８Ａが予測信号３２９として選択され、次に復号化対象マクロブロック内の全ての補間画素ブロックに対応する予測信号３２８Ｂが予測信号３２９として選択され、（段落００９４）
　復号画素合成部３１０では、復号画像信号３３０として得られる基準画素ブロック及び補間画素ブロックの画素が合成されることにより、復号化対象マクロブロックの復号画像信号が生成され、（段落００９５）
　前記逆変換／逆量子化部３０４では、基準画素ブロック及び補間画素ブロックの予測誤差信号が復号されるものであり、（段落０１００）
　前記基準画素ブロック及び補間画素ブロックにおける予測処理の流れは次のとおりであり、（段落０１０５）
　まず、基準画素ブロックに対して予測信号生成部３０８内の基準画素予測部３０８Ａによって、基準画素ブロックの予測信号が生成され、基準画素ブロックは、参照画像バッファ３０６に一時保存された復号化済みのブロック周辺画素から、外挿予測によって予測され、このときの外挿予測は、H. 264のフレーム内予測のように、生成方法の異なる複数の予測モードから一つのモードを選択し、当該予測モードに従って予測信号を生成することで行われ、（段落０１０６）
　次に、基準画素予測部３０８Ａで生成された予測信号と、逆変換／逆量子化部３０４で生成された予測誤差信号が加算器３０５において加算されることにより、基準画素ブロックの復号画像が生成され、生成された基準画素ブロックの復号画像信号は、参照画像バッファ３０６及び復号画素合成部３１０へ入力され、（段落０１０７）
　次に、補間画素ブロックに対して予測信号生成部３０８内の補間画素予測部３０８Ｂによって、補間画素ブロックの予測信号が生成され、ここでは、参照画像バッファ３０６に一時保存された復号化済みの参照画素（基準画素ブロックを含む）から６タップの線形補間フィルタを用いて補間画素ブロックが予測され、（段落０１０８）
　次に、補間画素予測部３０８Ｂで生成された予測信号と、逆変換／逆量子化部３０４で生成された予測誤差信号が加算器３０５において加算され、補間画素ブロックの復号画像が生成され、（段落０１０９）
　次に、上記の処理で生成された基準画素ブロック及び補間画素ブロックの復号画像を用いて、復号画素合成部３１０によって復号化対象マクロブロックの復号画像信号が生成される。（段落０１１０）」
３　引用発明
　上記２から、引用文献には、次の発明（以下、「引用発明」という。）が記載されていると認められる。
　なお、引用発明の各構成の符号（ａ１）〜（ｂ１６）は、説明のために当審で付したものであり、以下、構成ａ１〜構成ｂ１６と称する。
〔引用発明〕
（ａ１）符号化ユニット１００、多重化部１１１、出力バッファ１１２、及び符号化ユニット１００を制御する符号化制御部１１３を有し、
（ａ２）符号化ユニット１００に入力された画像信号１２０は、フレーム分割部１０１によって適当な大きさの画素ブロック、例えば１６×１６画素のマクロブロックに分割され、符号化対象マクロブロック信号１２１とされ、
（ａ３）フレーム分割部１０１から出力される符号化対象マクロブロック１２１は、再ブロック化部１０２によって、画素振り分けにより基準画素ブロックと補間画素ブロックに再ブロック化され、これにより、再ブロック化部１０２で再ブロック化信号１２２が生成され、再ブロック化信号１２２は、減算器１０３に入力され、減算器１０３においては、再ブロック化信号１２２と予測信号１２３との差がとられることにより、予測誤差信号１２４が生成され、
（ａ４）予測誤差信号１２４は変換／量子化部１０４に入力され、変換係数データ１２５が生成され、変換係数データ１２５は、エントロピー符号化部１１０及び逆変換／逆量子化部１０５に入力され、
（ａ５）逆変換／逆量子化部１０５では、復元された予測誤差信号１２６が生成され、
（ａ６）逆変換／逆量子化部１０５によって生成された復元された予測誤差信号１２６は、加算器１０６において予測信号１２３と加算され、これにより局部復号信号１２７が生成され、局部復号信号１２７は、参照画像バッファ１０７へ入力され、参照画像バッファ１０７では、局部復号信号１２７が参照画像信号として参照画像バッファ１０７に一時保存され、
（ａ７）予測信号生成部１０８は、基準画素予測部１０８Ａと補間画素予測部１０８Ｂを含み、参照画像バッファ１０７に一時保存された符号化済みの参照画像信号の画素（参照画素）を利用して、再ブロック化部１０２によって再ブロック化される基準画素ブロック及び補間画素ブロックに対する予測信号１２８Ａ及び１２８Ｂを生成し、
（ａ８）スイッチ１０９ではまず符号化対象マクロブロック内の全ての基準画素ブロックに対応する予測信号１２８Ａが予測信号１２３として選択され、次に符号化対象マクロブロック内の全ての補間画素ブロックに対応する予測信号１２８Ｂが予測信号１２３として選択され、こうしてスイッチ１０９で選択された予測信号１２３は、減算器１０３に入力され、
（ａ９）一方、エントロピー符号化部１１０では、変換／量子化部１０４から入力される変換係数データ１２５などの情報に対してエントロピー符号化が施され、符号化データ１３５が生成され、エントロピー符号化部１１０から出力される符号化データ１３５は多重化部１１１により多重化され、多重化された符号化データは、出力バッファ１１２を通して符号化ビットストリーム１３６として出力され、
（ａ１０）前記再ブロック化部１０２により生成された基準画素ブロックに対して、予測信号生成部１０８の基準画素予測部１０８Ａによって基準画素ブロックの予測信号１２８Ａが生成され、
（ａ１１）前記再ブロック化部１０２において生成された再ブロック化信号１２２として生成された補間画素ブロックに対して、予測信号生成部１０８内の補間画素予測部１０８Ｂによって予測信号１２８Ｂが生成され、
（ａ１２）基準画素ブロックの信号に対して予測信号１２８Ａが有する予測誤差信号が符号化され、
（ａ１３）補間画素ブロックの信号に対して予測信号１２８Ｂが持つ予測誤差信号が符号化される
（ａ１４）画像符号化装置
（ｂ１）に対応した画像復号化装置であって、
（ｂ２）復号化ユニット３００、入力部３０１、逆多重化部３０２、出力バッファ３１１、及び復号化ユニット３００を制御する復号化制御部３１３を有し、
（ｂ３）画像復号化装置に入力される符号化ビットストリーム３２０は、入力バッファ３０１に一度蓄えられ、逆多重化部３０２によりにシンタクスに基づいて各符号化データが分離された後、復号化ユニット３００に入力され、
（ｂ４）復号化ユニット３００に入力された符号化データは、エントロピー復号化部３０３に入力され、エントロピー復号化部３０３では、符号化データの各シンタクスの符号列が順次復号され、量子化された変換係数３２６などが復号され、
（ｂ５）量子化された変換係数３２６は、符号化ブロック情報３２３及び量子化パラメータなどに従って逆変換／逆量子化部３０４で逆量子化され、例えばＩＤＣＴなどにより逆直交変換され、
（ｂ６）逆変換／逆量子化部３０４から出力される変換係数データは、予測誤差信号３２７として加算器３０５へ渡され、加算器３０５では、予測誤差信号３２７と予測信号生成部３０８からスイッチ３０９を介して出力される予測信号３２９の加算が行われることにより、復号画像信号３３０が生成され、参照画像バッファ３０６へ入力され、
（ｂ７）予測信号生成部３０８は、基準画素予測部３０８Ａと補間画素予測部３０８Ｂを含み、参照画像バッファ３０６に一時保存された復号化済みの参照画素を利用して基準画素ブロック及び補間画素ブロックに対する予測信号３２８Ａ及び３２８Ｂを生成し、
（ｂ８）スイッチ３０９ではまず復号化対象マクロブロック内の全ての基準画素ブロックに対応する予測信号３２８Ａが予測信号３２９として選択され、次に復号化対象マクロブロック内の全ての補間画素ブロックに対応する予測信号３２８Ｂが予測信号３２９として選択され、
（ｂ９）復号画素合成部３１０では、復号画像信号３３０として得られる基準画素ブロック及び補間画素ブロックの画素が合成されることにより、復号化対象マクロブロックの復号画像信号が生成され、
（ｂ１０）前記逆変換／逆量子化部３０４では、基準画素ブロック及び補間画素ブロックの予測誤差信号が復号されるものであり、
（ｂ１１）前記基準画素ブロック及び補間画素ブロックにおける予測処理の流れは次のとおりであり、
（ｂ１２）まず、基準画素ブロックに対して予測信号生成部３０８内の基準画素予測部３０８Ａによって、基準画素ブロックの予測信号が生成され、基準画素ブロックは、参照画像バッファ３０６に一時保存された復号化済みのブロック周辺画素から、外挿予測によって予測され、このときの外挿予測は、H. 264のフレーム内予測のように、生成方法の異なる複数の予測モードから一つのモードを選択し、当該予測モードに従って予測信号を生成することで行われ、
（ｂ１３）次に、基準画素予測部３０８Ａで生成された予測信号と、逆変換／逆量子化部３０４で生成された予測誤差信号が加算器３０５において加算されることにより、基準画素ブロックの復号画像が生成され、生成された基準画素ブロックの復号画像信号は、参照画像バッファ３０６及び復号画素合成部３１０へ入力され、
（ｂ１４）次に、補間画素ブロックに対して予測信号生成部３０８内の補間画素予測部３０８Ｂによって、補間画素ブロックの予測信号が生成され、ここでは、参照画像バッファ３０６に一時保存された復号化済みの参照画素（基準画素ブロックを含む）から６タップの線形補間フィルタを用いて補間画素ブロックが予測され、
（ｂ１５）次に、補間画素予測部３０８Ｂで生成された予測信号と、逆変換／逆量子化部３０４で生成された予測誤差信号が加算器３０５において加算され、補間画素ブロックの復号画像が生成され、
（ｂ１６）次に、上記の処理で生成された基準画素ブロック及び補間画素ブロックの復号画像を用いて、復号画素合成部３１０によって復号化対象マクロブロックの復号画像信号が生成される
（ｂ１）画像復号化装置。
第５　対比
　本願発明と引用発明とを対比する。
１　構成Ａについて
　構成ｂ１の「画像復号化装置」は、画像を復号する機能を含むものであるから、「ビデオ・デコーダを含む装置」である点で本願発明と一致する。
　構成ａ３の「基準画素ブロック」及び「補間画素ブロック」は、符号化対象マクロブロックから画素振り分けがなされたものであるから、ブロック内の画素を少なくとも２つのグループに分割したものである。そして、前記構成ａ３で画素振り分けがなされた後、構成ａ７、構成ａ１０及び構成ａ１１で前記各ブロックの予測信号が生成され、構成ａ９、構成ａ１２及び構成ａ１３で前記各ブロックの予測誤差信号が符号化されて出力されたものが、当該画像符号化装置に対応する画像復号化装置における構成ｂ６及び構成ｂ１０で前記各ブロックの予測誤差信号として復号されるから、構成ｂ１６の復号化対象マクロブロックの生成に用いられる基準画素ブロック及び補間画素ブロックは、前記構成ａ３の、符号化対象マクロブロックから画素振り分けがなされたものに対応しており、ブロック内の画素を少なくとも２つのグループに分割しているものである。
　構成ｂ１２の「基準画素ブロック」及び「復号化済みのブロック周辺画素から、外挿予測によって予測され」ることは、構成Ａの「第１のグループ」及び「第１の方法」にそれぞれ相当する。また、構成ｂ１２の「外挿予測」は、「H. 264のフレーム内予測のように」行われるものであり、当該H. 264のフレーム内予測では、当該予測対象の画素が存在するブロックの外側の隣接する画素が少なくとも用いられるから、当該外挿予測に用いられる「復号化済みのブロック周辺画素」は、「ブロックの外側の隣接する画素」に相当するといえる。以上から、構成ｂ１２の「基準画素ブロックの予測信号が生成され、基準画素ブロックは、参照画像バッファ３０６に一時保存された復号化済みのブロック周辺画素から、外挿予測によって予測され」ることは、構成Ａの「第１の方法で、ブロックの外側の隣接する画素から前記第１のグループの画素を予測すること」に相当する。
　構成ｂ１５の「補間画素ブロック」及び「補間画素ブロックの復号画像が生成され」ることは、構成Ａの「第２のグループ」及び「前記第２のグループの前記画素を復号する」ことにそれぞれ相当する。
　そして、構成ｂ１２は構成ｂ１５より前に行われるから、本願発明は、「第１の方法で、ブロックの外側の隣接する画素から前記第１のグループの画素を予測すること」が「前記第２のグループの前記画素を復号する前に」おけるものである点で、構成Ａと一致する。
　構成ｂ１２の「基準画素ブロックの予測信号が生成され、基準画素ブロックは、参照画像バッファ３０６に一時保存された復号化済みのブロック周辺画素から、外挿予測によって予測され」ること、及び、構成ｂ１４の「復号化済みの参照画素（基準画素ブロックを含む）から６タップの線形補間フィルタを用いて補間画素ブロックが予測され」ることは、いずれもフレーム内の画像から予測するものであるから、構成Ａの「イントラ予測」に相当する。そして、構成ｂ１２及び構成ｂ１４の各予測に基づき、構成ｂ１３、構成ｂ１５及び構成ｂ１６において、復号化対象マクロブロックの復号画像信号が生成されるから、引用発明は、構成Ａの「イントラ予測を用いてピクチャ内のブロックを復号する」ものである点で、構成Ａと一致する。
　以上から、引用発明は、構成Ａである点で本願発明と一致する。
２　構成Ｂについて
　構成ｂ１４の「補間画素ブロックが予測され」ることは、「前記第２のグループ内の前記画素のうちの少なくとも１つの画素についての予測」に相当する。そして、当該予測に用いられる参照画像バッファ３０６には、構成ｂ１２の復号化済みのブロック周辺画素及び構成ｂ１３の基準画素ブロックの復号画像信号が保存されており、当該「復号化済みのブロック周辺画素」及び「基準画素ブロックの復号画像信号」は、「すでに復号されているブロックの外側の隣接する画素」及び「第１のグループ内の画素」に相当するものであるから、構成ｂ１４の「参照画像バッファ３０６に一時保存された復号化済みの参照画素（基準画素ブロックを含む）から６タップの線形補間フィルタを用いて補間画素ブロックが予測され」ることは、「前記第２のグループ内の前記画素のうちの少なくとも１つの画素についての予測は、画素の前記第１のグループ内の画素およびすでに復号されているブロックの外側の隣接する画素のうちの少なくとも１つに基づいて、」「決定され」るものといえる。
　また、構成ｂ１４の「復号化済みの参照画素（基準画素ブロックを含む）から６タップの線形補間フィルタを用いて補間画素ブロックが予測され」る方法は、構成ｂ１２の「復号化済みのブロック周辺画素から外挿予測によって予測される」方法と異なるものである。
　以上から、引用発明は、構成Ｂを備える点で本願発明と一致する。
３　構成Ｃについて
　構成ｂ１６の基準画素ブロック及び補間画素ブロックは、各ブロックの復号画像から復号化対象マクロブロックの復号画像信号が生成されるから、引用発明は、前記第１のグループと前記第２のグループは、同じブロックの部分である点で、本願発明と共通する。
　しかしながら、上記「同じブロックの部分」における「ブロック」が、本願発明は「マクロブロック内に含まれているブロック」であるのに対し、引用発明は「マクロブロック」である点で、両者は相違する。
４　一致点、相違点について
　以上のことから、本願発明と引用発明との一致点及び相違点は、次のとおりである。
〔一致点〕
（Ａ）ブロック内の画素を少なくとも第１のグループおよび第２のグループに分割し、前記第２のグループの前記画素を復号する前に、第１の方法で、前記ブロックの外側の隣接する画素から前記第１のグループの前記画素を予測することによって、イントラ予測を用いてピクチャ内のブロックを復号するビデオ・デコーダを含む装置であって、
（Ｂ）前記第２のグループ内の前記画素のうちの少なくとも１つの画素についての予測は、画素の前記第１のグループ内の画素およびすでに復号されているブロックの外側の隣接する画素のうちの少なくとも１つに基づいて、前記第１の方法とは異なる、第２の方法で決定され、
（Ｃ’）前記第１のグループと前記第２のグループは、同じブロックの部分である、
（Ａ）前記装置。
〔相違点〕
　上記構成Ｃ’における「ブロック」が、本願発明は「マクロブロック内に含まれているブロック」であるのに対し、引用発明は「マクロブロック」である点。
第６　判断
　上記相違点について、以下に検討する。
　引用文献の段落００８３には、「マクロブロックプレディクションシンタクスでは、マクロブロック（１６×１６画素ブロック）またはサブブロック（４×４画素ブロック、８×８画素ブロック）毎の予測モード及び符号化ブロックに関する情報が明記されている。それぞれのmb_typeにおける処理ブロック単位の予測モードを示すインデクスは、intra4×4(8×8,16×16)_pred_modeで示される。」との記載がある。（以下、「引用文献記載事項」という。）ここで、前記「intra4×4(8×8,16×16)_pred_mode」は、「処理ブロック単位の予測モードを示すインデクス」であるから、「16×16」、「4×4」及び「8×8」は、処理ブロック単位が「マクロブロック（１６×１６画素ブロック）」、「サブブロック（４×４画素ブロック）」及び「サブブロック（８×８画素ブロック）」であることを意味し、「intra*×*_pred_mode」（前記「*」は、4、8又は16である。）は、イントラ予測モードを意味しているものと認められる。また、引用文献記載事項の「サブブロック（４×４画素ブロック、８×８画素ブロック）」は、構成Ｃの「マクロブロック内に含まれているブロック」に相当する。
　そして、引用発明及び引用文献記載事項は、マクロブロックにおけるイントラ予測処理である点で共通するから、引用発明において、上記マクロブロックプレディクションシンタクスの構成を適用することにより、イントラ予測の処理ブロック単位を「サブブロック（４×４画素ブロック、８×８画素ブロック）」とすること、すなわち構成Ｃ’における「ブロック」を「マクロブロック内に含まれているブロック」とすることは、当業者が容易に想到しうることである。
　そして、本願発明の奏する作用効果は、引用発明及び引用文献記載事項の奏する作用効果から予測される範囲内のものにすぎず、格別顕著なものということはできない。
　なお、請求人は、平成３１年２月１５日にされた手続補正により補正された審判請求書において、以下の主張を行っている。
「引用文献１〜７のいずれも、単独でも、組み合わせても、補正後の請求項の特徴事項の全て、特に、補正後の請求項に記載されているような、「ブロック内の画素を少なくとも第１のグループおよび第２のグループに分割し、前記第２のグループの前記画素を復号する前に、第１の方法で、前記ブロックの外側の隣接する画素から前記第１のグループの前記画素を予測することによって、イントラ予測を用いてピクチャ内のブロックを復号する・・・前記第２のグループ内の前記画素のうちの少なくとも１つの画素についての平面予測は、画素の前記第１のグループ内の画素およびすでに復号されているブロックの外側の隣接する画素のうちの少なくとも１つに基づいて、前記第１の方法とは異なる、第２の方法で決定され、前記第１のグループと前記第２のグループは、マクロブロック内に含まれている同じブロックの部分である」という特徴事項の全てを開示したり示唆したりするものではありません。
　従いまして、そのような引用文献１〜７に基づいて、本願発明に想到することはできないと主張いたします。」
　しかしながら、特許請求の範囲には「平面予測」について記載されておらず、当該「平面予測」を含む上記主張は、特許請求の範囲の記載に基づいたものとは認められないから、採用することができない。
　よって、本願発明は、引用発明及び引用文献における他の記載事項に基づいて、当業者が容易に発明をすることができたものである。
第７　むすび
　以上のとおり、本願の特許請求の範囲の請求項１に係る発明は、特許法第２９条第２項の規定により特許を受けることができないから、他の請求項に係る発明について検討するまでもなく、本願は拒絶されるべきものである。
　よって、結論のとおり審決する。